(57)【要約】【課題】出火原因を特定するのに役立つ情報を提供する。【解決手段】インターホン親機１は、火災警報器３からの火災検知信号を受信した場合に画像要求信号をカメラ装置４に送信し、カメラ装置４は、インターホン親機１からの画像要求信号を受信した場合に、画像要求信号を受信する所定時間前から現在までの画像データを当該インターホン親機１に送信する。そして、インターホン親機１は、当該画像データを所定周期で表示することで映像として再生する。【選択図】図１
2010021831.tif 000002
【特許請求の範囲】
【請求項１】
インターホン親機と、火災警報器と、カメラ装置とを有するインターホンシステムであって、
前記カメラ装置は、
設置場所における監視範囲内の画像を所定周期で撮像する画像撮像手段と、
所定時間前から直前までの前記画像撮像手段により撮像された過去の画像データを記憶する過去画像記憶手段と、
前記過去画像記憶手段により記憶された過去の画像データと前記画像撮像手段により撮像された現在の画像データをインターホン親機に送信する画像送信手段と
を備え、
前記インターホン親機は、
前記火災警報器からの火災検知信号を受信する検知信号受信手段と、
前記検知信号受信手段が火災検知信号を受信した後に前記カメラ装置からの前記画像データを受信する画像受信手段と、
前記画像受信手段により受信された前記画像データを表示することで映像として再生する映像再生手段と
を備えたことを特徴とするインターホンシステム。
【請求項２】
前記インターホン親機は、前記画像受信手段により受信された前記画像データを記憶する受信画像記憶手段を備えたことを特徴とする請求項１に記載のインターホンシステム。
【発明の詳細な説明】
【技術分野】
【０００１】
本発明は、火災警報器及びカメラ装置を備えたインターホンシステムに関する。
【背景技術】
【０００２】
従来、インターホン親機と、ドアホン子器と、火災警報器と、カメラ装置とで構成されたセキュリティー対応のインターホンシステムは、火災警報器が火災を検知した際にインターホン親機から警報音を鳴動させる構成となっている（たとえば、特許文献１参照）。
【特許文献１】特開平８−０７０３６１号公報
【発明の開示】
【発明が解決しようとする課題】
【０００３】
しかしながら、上記のようなインターホンシステムは、火災の発生を通知するのみで、出火原因を特定するのに役立つ情報を提供することができない。
【０００４】
本発明は、上記の事情に鑑みてなされたものであり、その目的とするところは、出火原因を特定するのに役立つ情報を提供することができるインターホンシステムを提供することにある。
【課題を解決するための手段】
【０００５】
本発明に係るインターホンシステムは、上記の課題を解決するために、インターホン親機と、火災警報器と、カメラ装置とを有するインターホンシステムであって、カメラ装置は、設置場所における監視範囲内の画像を所定周期で撮像する画像撮像手段と、所定時間前から直前までの画像撮像手段により撮像された過去の画像データを記憶する過去画像記憶手段と、過去画像記憶手段により記憶された過去の画像データと画像撮像手段により撮像された現在の画像データをインターホン親機に送信する画像送信手段とを備え、インターホン親機は、火災警報器からの火災検知信号を受信する検知信号受信手段と、検知信号受信手段が火災検知信号を受信した後に画像要求信号をカメラ装置に送信する要求信号送信手段と、カメラ装置からの前記画像データを受信する画像受信手段と、画像受信手段により受信された前記画像データを表示することで映像として再生する映像再生手段とを備えたことを特徴とする。
【０００６】
また、本発明に係るインターホンシステムは、上記に加えて、インターホン親機は、画像受信手段により受信された前記画像データを記憶する受信画像記憶手段を備えたことを特徴とする。
【発明の効果】
【０００７】
本発明に係るインターホンシステムによれば、火災警報器が火災を検知する所定時間前から現在までのカメラ装置の映像がインターホン親機の画面に映し出されるので、火災検知前の現場状況を把握して出火原因を特定することができ、同様の原因による火災の発生を防止することができる。
【０００８】
また、本発明に係るインターホンシステムによれば、火災警報器が火災を検知する所定時間前から現在までのカメラ装置の画像データがインターホン親機に保存されるので、火災への対処後に、火災の発生前後の様子をじっくりと確認することができる。
【発明を実施するための最良の形態】
【０００９】
以下、本発明の一実施形態となるインターホンシステムについて図面を参照しながら説明する。
【００１０】
本発明の一実施形態に係るインターホンシステムは、図１に示すように、インターホン親機１と、ドアホン子器２と、一又は複数の火災警報器３と、一又は複数のカメラ装置４とで構成されている。
【００１１】
インターホン親機１は、集合住宅や一般住宅などの室内の壁などに設置され、玄関口の外壁などに設置されたドアホン子器２との間で通話可能なものである。このインターホン親機１は、図２に示すように、警報受信部１１と、通信部１２と、記憶部１３と、表示部１４と、操作部１５と、制御部１６とを備えている。
【００１２】
警報受信部１１は、火災を検知した際に火災警報器３により送信される火災検知信号を受信する。
【００１３】
通信部１２は、画像データを要求する画像要求信号をカメラ装置４に送信する。また、通信部１２は、画像要求信号に応じてカメラ装置４により送信される画像データを受信する。
【００１４】
記憶部１３は、不揮発性の半導体メモリなどで構成されており、カメラ装置４からの画像データを記憶する。
【００１５】
表示部１４は、当該インターホン親機１の前面に設けられた液晶ディスプレーなどで構成されており、画像データを所定周期で表示することで映像として再生する。
【００１６】
操作部１５は、当該インターホン親機１の前面に設けられた各種操作ボタンなどで構成されており、居住者の各種操作を検知する。なお、この操作部１５は、少なくとも、映像の再生を開始するための再生ボタン１ａ（図１参照）を有している。
【００１７】
制御部１６は、火災警報器３からの火災検知信号が受信された場合に画像要求信号をカメラ装置４に送信するよう通信部１２に指示する。そして、制御部１６は、カメラ装置４からの画像データが受信された場合に当該画像データを記憶部１３に保存する。また、制御部１６は、操作部１５の再生ボタン１ａが操作された場合に保存した画像データを記憶部１３から読み出し、読み出した画像データを映像として再生するよう表示部１４に指示する。
【００１８】
図１に戻り、火災警報器３は、集合住宅や一般住宅の室内の天井又は壁などに設置され、設置場所において起きた火災を検知して居住者に警報するものであり、火災を検知した際に、その旨を通知する火災検知信号をインターホン親機１に送信する。この火災警報器３としては、たとえば、熱式又は煙式の住宅用火災警報器などが用いられる。
【００１９】
カメラ装置４は、集合住宅や一般住宅の室内の天井などに設置されるものであり、図３に示すように、撮像部４１と、記憶部４２と、通信部４３と、制御部４４とを備えている。
【００２０】
撮像部４１は、ＣＣＤ（Charge Coupled Device Image Sensor）カメラやＣＭＯＳ（Complementary Metal Oxide Semiconductor）カメラなどで構成されており、設置場所における監視範囲内の画像を所定周期で撮像し、撮像した画像を画像データとして出力する。
【００２１】
記憶部４２は、先入れ先出し方式で読み書き可能なＦＩＦＯ（First In First Out）メモリーなどで構成されており、画像データを記憶して所定時間保持する。そして、画像データを所定期間保持した後、記憶部４２は、最も古い画像データから順に新しい画像データで上書きする。
【００２２】
通信部４３は、火災検知信号を受信した際にインターホン親機１により送信される画像要求信号を受信する。また、通信部４３は、インターホン親機１に画像データを送信する。
【００２３】
制御部４４は、撮像部４１からの画像データを記憶部４２に逐次保存する。また、制御部４４は、インターホン親機１からの画像要求信号が受信された場合に保存した過去の画像データを記憶部４２から読み出し、読み出した過去の画像データと撮像部４１からの現在の画像データをインターホン親機１に送信するよう通信部４３に指示する。
【００２４】
続いて、カメラ装置４の画像送信処理について図４を用いて説明する。
【００２５】
カメラ装置４の画像送信処理は、当該カメラ装置４の電源が投入されて初期動作が完了したタイミングで開始され、ステップＳ１０１に進む。
【００２６】
ステップＳ１０１では、撮像部４１が、設置場所における監視範囲内の画像を撮像し、撮像した画像を画像データとして制御部４４に出力する。その後、処理は、ステップＳ１０２に進む。
【００２７】
ステップＳ１０２では、制御部４４が、撮像部４１からの画像データを記憶部４２に保存する。その後、処理は、ステップＳ１０３に進む。
【００２８】
ステップＳ１０３では、制御部４４が、インターホン親機１からの画像要求信号を通信部４３が受信したか否かを判断する。インターホン親機１からの画像要求信号を受信していない場合には、処理は、ステップＳ１０１に戻る。これにより、記憶部４２には、所定周期で撮像された所定時間前までの過去の画像データが保存されることとなる。一方、インターホン親機１からの画像要求信号を受信した場合には、処理は、ステップＳ１０４に進む。
【００２９】
ステップＳ１０４では、制御部４４が、保存した過去の画像データを記憶部４２から読み出す。その後、処理は、ステップＳ１０５に進む。
【００３０】
ステップＳ１０５では、制御部４４が、読み出した過去の画像データと撮像部４１からの現在の画像データをインターホン親機１に送信するよう通信部４３に指示し、通信部４３が、インターホン親機１に当該画像データを送信する。これにより、インターホン親機１には、当該インターホン親機１からの画像要求信号を受信する所定時間前から現在までの画像データが送信されることとなる。すなわち、図５に示すように、インターホン親機１からの画像要求信号を時刻ｔ０で受信した場合、当該インターホン親機１には、時刻ｔ０のＴ時間前となる時刻ｔ１から時刻ｔ０までの画像データが送信されることとなる。その後、処理は、ステップＳ１０１に戻る。
【００３１】
つぎに、インターホン親機１の画像保存処理について図６を用いて説明する。
【００３２】
インターホン親機１の画像保存処理は、当該インターホン親機１の電源が投入されて初期動作が完了したタイミングで開始され、ステップＳ２０１に進む。
【００３３】
ステップＳ２０１では、制御部１６が、火災警報器３からの火災検知信号を警報受信部１１が受信したか否かを判断する。そして、処理は、火災警報器３からの火災検知信号を受信したタイミングでステップＳ２０２に進む。
【００３４】
ステップＳ２０２では、制御部１６が、画像要求信号をカメラ装置４に送信するよう通信部１２に指示し、通信部１２が、画像要求信号をカメラ装置４に送信する。これにより、前述したカメラ装置４の画像送信処理によって、インターホン親機１には、画像要求信号をカメラ装置４に送信する所定時間前から現在までの画像データが送信されることとなる。すなわち、インターホン親機１には、火災警報器３からの火災検知信号を受信する所定時間前から現在までの画像データが送信されることとなる。その後、処理は、ステップＳ２０３に進む。
【００３５】
ステップＳ２０３では、制御部１６が、カメラ装置４からの画像データを通信部１２が受信したか否かを判断する。そして、処理は、カメラ装置４からの画像データを受信したタイミングでステップＳ２０４に進む。
【００３６】
ステップＳ２０４では、制御部１６が、通信部１２により受信された画像データを記憶部１３に保存する。これにより、記憶部１３には、火災警報器３からの火災検知信号を受信する所定時間前から現在までの画像データが保存されることとなる。なお、カメラ装置４が複数存在する場合には、火災現場に対して最も適切に配置されたカメラ装置４の画像データのみを保存するという構成としてもよい。その後、処理は、ステップＳ２０１に戻る。
【００３７】
つぎに、インターホン親機１の映像再生処理について図７を用いて説明する。
【００３８】
インターホン親機１の映像再生処理は、当該インターホン親機１の電源が投入されて初期動作が完了したタイミングで開始され、ステップＳ３０１に進む。
【００３９】
ステップＳ３０１では、制御部１６が、操作部１５の再生ボタン１ａが操作されたか否かを判断する。そして、処理は、操作部１５の再生ボタン１ａが操作されたタイミングでステップＳ３０２に進む。
【００４０】
ステップＳ３０２では、制御部１６が、前述した画像保存処理によって保存した画像データを記憶部１３から読み出す。その後、処理は、ステップＳ３０３に進む。
【００４１】
ステップＳ３０３では、制御部１６が、読み出した画像データを映像として再生するよう表示部１４に指示し、表示部１４が、当該画像データを所定周期で表示することで映像として再生する。これにより、図１に示す、インターホン親機１の前面に設けられた液晶ディスプレーの画面１ｂには、火災警報器３が火災を検知する所定時間前から現在までのカメラ装置４の映像が映し出されることとなる。
【００４２】
以上の説明から明らかなように、本発明の一実施形態によれば、火災警報器３が火災を検知する所定時間前から現在までのカメラ装置４の映像がインターホン親機１の前面に設けられた液晶ディスプレーの画面１ｂに映し出されるので、火災検知前の現場状況を把握して出火原因を特定することができ、同様の原因による火災の発生を防止することができる。
【００４３】
また、本発明の一実施形態によれば、火災警報器３が火災を検知する所定時間前から現在までのカメラ装置４の画像データがインターホン親機１に保存されるので、火災への対処後に、火災の発生前後の様子をじっくりと確認することができる。なお、本実施形態は、火災警報器３とカメラ装置４が別々に構成されているが、実施形態は、これに限らず、火災警報器３及びカメラ装置４の代わりに、火災警報器３にカメラ装置４が一体化されたもの、すなわち、カメラ機能付き火災警報器を用いて構成されていてもよい。この場合においても、本実施形態と同様の効果を奏することができる。
【００４４】
以上、本発明者によってなされた発明を適用した一実施形態について説明したが、この実施形態による開示の一部をなす論述及び図面により本発明が限定されることはない。すなわち、本実施形態に基づいて当業者によってなされる、ほかの実施形態、運用技術、及び実施例などは本発明の範囲にすべて含まれることを付け加えておく。
【図面の簡単な説明】
【００４５】
【図１】本発明の一実施形態となるインターホンシステムの構成を示すシステム構成図である。
【図２】本発明の一実施形態に係るインターホン親機の構成を示すブロック図である。
【図３】本発明の一実施形態に係るカメラ装置の構成を示すブロック図である。
【図４】本発明の一実施形態に係るカメラ装置の画像送信処理を示すフローチャートである。
【図５】本発明の一実施形態に係るインターホン親機の画像保存処理を示すフローチャートである。
【図６】本発明の一実施形態に係るインターホン親機の映像再生処理を示すフローチャートである。
【図７】インターホン親機に送信される画像データを説明するためのタイムチャートである。
【符号の説明】
【００４６】
１  インターホン親機
１１  警報受信部（火災検知受信手段）
１２  通信部（画像受信手段）
１３  記憶部（受信画像記憶手段）
１４  表示部（映像再生手段）
１５  操作部（映像再生手段）
１６  制御部（受信画像記憶手段及び映像再生手段）
２  ドアホン子器
３  火災警報器
４  カメラ装置
４１  撮像部（画像撮像手段）
４２  記憶部（過去画像記憶手段）
４３  通信部（画像送信手段）
４４  制御部（過去画像記憶手段及び画像送信手段）
【図１】
2010021831.tif 000003
【図２】
2010021831.tif 000004
【図３】
2010021831.tif 000005
【図４】
2010021831.tif 000006
【図５】
2010021831.tif 000007
【図６】
2010021831.tif 000008
【図７】
2010021831.tif 000009